(57)【要約】【課題】  像担持体と記録シートとの密着性をより向上させる。【解決手段】  転写補助ブレード２２の記録シートＰの背面との当接部、すなわち、先端２２Ａの形状は、記録シートＰの進行方向ｄに対して、中央が膨らんだ円弧形状をしている。転写補助ブレード２２の記録シートＰの背面との当接位置は、中央から両端斜め後方に傾斜している。また、転写補助ブレード２２の長さは中央ほど長いので、中央ほどニップ圧が高い。よって、矢印Ｓで表しているように、中央から幅方向両端方向に記録シートＰを扱くようなニップ圧がかかる。したがって、記録シートＰにシワＸが発生しても、シワＸが延ばされ、あるいは、両幅方向に移動して、解消する。よって、記録シートＰと感光体とが密着し、感光体上のトナー像が記録シートＰに良好に転写される。【選択図】        図５
2006267482.tif 000002
【特許請求の範囲】
【請求項１】
像担持体に形成されたトナー像を、記録シートに転写する転写装置であって、
前記記録シートに当接し、該記録シートを前記像担持体に押圧する転写補助ブレードを備え、
前記転写補助ブレードは、前記記録シートと当接する先端に、該記録シートの進行方向に対して角度を持った傾斜が幅方向に形成されていることを特徴とする転写装置。
【請求項２】
像担持体に形成されたトナー像を、記録シートに転写する転写装置であって、
前記記録シートに当接し、該記録シートを前記像担持体に押圧する転写補助ブレードを、該記録シートの進行方向に間隔を持って複数枚備え、
前記転写補助ブレードのうち少なくとも１枚は、前記記録シートと当接する先端に、該記録シートの進行方向に対して角度を持った傾斜が幅方向に形成されていることを特徴とする転写装置。
【請求項３】
前記転写補助ブレードの先端の形状は、前記記録シートの進行方向に対して直交する一方の端部から他方の端部に向かって傾斜していることを特徴とする請求項１、又は請求項２に記載の転写装置。
【請求項４】
前記転写補助ブレードの先端の形状は、前記記録シートの進行方向に対して中央部が膨らんでいることを特徴とする請求項１、又は請求項２に記載の転写装置。
【請求項５】
前記転写補助ブレードは、前記記録シートの進行方向に対して直交する方向に移動可能としたことを特徴とする請求項４に記載の転写装置。
【請求項６】
前記転写補助ブレードの先端の形状は、曲線で構成されていることを特徴とする請求項１から請求項５のいずれか１項に記載の転写装置。
【請求項７】
前記転写補助ブレードの先端の形状は、直線で構成されていることを特徴とする請求項１から請求項５のいずれか１項に記載の転写装置。
【請求項８】
前記転写補助ブレードの先端の形状は、曲線と直線とを組み合わせて構成されていることを特徴とする請求項１から請求項５のいずれか１項に記載の転写装置。
【請求項９】
前記転写補助ブレードの先端の形状を変形可能としたことを特徴とする請求項１から請求項８のいずれか１項に記載の転写装置。
【請求項１０】
前記転写補助ブレードは、進行方向と直交する方向に並んだ複数のブレードが重ねられて構成され、
複数の前記ブレードの位置を相対的にズラし、先端の形状を変形可能としたことを特徴とする請求項９に記載の転写装置。
【請求項１１】
前記転写補助ブレードの先端は、
前記像担持体から離れた第一位置と、
前記記録シートに当接し、前記記録シートを前記画像保持部材に押圧する第二位置と、
の間を移動することを特徴とする請求項１から請求項１０のいずれか１項に記載の転写装置。
【請求項１２】
請求項１から請求項１１のいずれか１項に記載の転写装置を備えることを特徴とする画像形成装置。
【発明の詳細な説明】
【技術分野】
【０００１】
本発明は、転写装置、及びこの転写装置を備える画像形成装置に関する。
【背景技術】
【０００２】
電子写真式の画像形成装置では、まず、帯電器によって、感光体等の像担持体を均一に帯電した後、露光装置によって露光し、像担持体上に静電潜像を形成する。形成された静電潜像は現像器で現像され、像担持体上にトナー像が形成される。像担持体上に形成されたトナー像は、転写装置によって記録シートに転写される。トナー像が転写された記録シートは、定着装置によって定着される。
【０００３】
さて、記録シートにトナー像を転写する転写装置には、記録シート及び像担持体とに非接触で静電的に記録シートに転写するコロトロンなどの転写装置がある。このような非接触方式の転写装置は、像担持体と記録シートとの接触が不均一になり、転写効率の低下や転写不良が起きることがある。
【０００４】
このため、コロトロンの上流側に転写補助ブレードを設け、この転写補助ブレードで、記録シートを像担持体に押し付けて像担持体に密着させる方法が提案されている。（例えば、特許文献１参照）。
【特許文献１】特開２０００−２４２０９２号公報。
【発明の開示】
【発明が解決しようとする課題】
【０００５】
しかしながら、図１６（Ａ）に示すように、記録シートＰにシワＸが発生した場合、図１６（Ｂ）に示すように、従来の転写補助ブレード１０２２は、先端１０２２Ａが記録シートＰの幅方向に対して同時に均一に当接しているので、シワＸを十分解消できない場合があった。
【０００６】
このため、図１６（Ｂ）に示すシワｘ部分に、記録シートＰと像担持体との間に空間（エアギャップ）が生じ、トナー像の一部が記録シートＰに転写せずに画像の一部が欠損する現象が生じることがあった。よって、像担持体と記録シートとの密着性をより向上させることが望まれている。
【０００７】
本発明は、上記問題を解決すべく成されたもので、像担持体と記録シートとの密着性をより向上させることを目的とする。
【課題を解決するための手段】
【０００８】
上記目的を達成するために請求項１に記載の転写装置は、像担持体に形成されたトナー像を、記録シートに転写する転写装置であって、前記記録シートに当接し、該記録シートを前記像担持体に押圧する転写補助ブレードを備え、前記転写補助ブレードは、前記記録シートと当接する先端に、該記録シートの進行方向に対して角度を持った傾斜が幅方向に形成されていることを特徴としている。
【０００９】
請求項１に記載の転写装置は、転写補助ブレードが記録シートに当接して記録シートを像担持体に押圧し、記録シートを像担示体に密着させた状態で、像担持体に形成されたトナー像を記録シートに転写する。
【００１０】
転写補助ブレードは、記録シートと当接する先端に、記録シートの進行方向に対して角度を持った傾斜が幅方向に形成されている。よって、記録シートには、転写補助ブレードの先端の傾斜に沿って、扱くような力がかかる。このため、例えば、記録シートにシワ等の歪みが生じても解消する。したがって、像担持体と記録シートとの密着性がより向上する。
【００１１】
請求項２に記載の転写装置は、像担持体に形成されたトナー像を、記録シートに転写する転写装置であって、前記記録シートに当接し、該記録シートを前記像担持体に押圧する転写補助ブレードを、該記録シートの進行方向に間隔を持って複数枚備え、前記転写補助ブレードのうち少なくとも１枚は、前記記録シートと当接する先端に、該記録シートの進行方向に対して角度を持った傾斜が幅方向に形成されていることを特徴としている。
【００１２】
請求項２に記載の転写装置は、複数の転写補助ブレードが記録シートに連続して当接して記録シートを像担持体に押圧し、記録シートを像担示体に密着させた状態で、像担持体に形成されたトナー像を記録シートに転写する。
【００１３】
複数の転写補助ブレードのうち少なくとも一つは、記録シートと当接する先端に、記録シートの進行方向に対して角度を持った傾斜が幅方向に形成されている。よって、記録シートには、転写補助ブレードの先端の傾斜に沿って、扱くような力がかかる。このため、例えば、記録シートにシワ等の歪みが生じても解消する。したがって、像担持体と記録シートとの密着性がより向上する。
【００１４】
また、記録シートのシワ等の歪みを解消することを主目的とする傾斜が形成された転写補助ブレードと、記録シートを像担持体に均一に密着させることを主目的とする傾斜が形成されていない転写補助ブレードと、の２種類を設け、機能を分担させることで、像担持体と記録シートとの密着性をより向上させることができる。
【００１５】
請求項３に記載の転写装置は、請求項１、又は請求項２に記載の構成において、前記転写補助ブレードの先端の形状は、前記記録シートの進行方向に対して直交する一方の端部から他方の端部に向かって傾斜していることを特徴としている。
【００１６】
請求項３に記載の転写装置では、転写補助ブレードの先端の形状は記録シートの進行方向に対して直交する一方の端部から他方の端部に向かって傾斜している。よって、記録シートには、一方の端部から他方の端部に向かって、扱くような力がかかる。このため、例えば、記録シートにシワ等の歪みが生じても解消する。したがって、像担持体と記録シートとの密着性がより向上する。
【００１７】
請求項４に記載の転写装置は、請求項１、又は請求項２に記載の構成において、前記転写補助ブレードの先端の形状は、前記記録シートの進行方向に対して中央部が膨らんでいることを特徴としている。
【００１８】
請求項４に記載の転写装置では、転写補助ブレードの先端の形状は記録シートの進行方向に対して中央部が膨らんでいる。よって、記録シートには、中央から両端部に向かって、扱くような力がかかる。このため、例えば、記録シートにシワ等の歪みが生じても解消する。したがって、像担持体と記録シートとの密着性がより向上する。
【００１９】
請求項５に記載の転写装置は、請求項４に記載の構成において、前記転写補助ブレードは、前記記録シートの進行方向に対して直交する方向に移動可能としたことを特徴としている。
【００２０】
請求項５に記載の転写装置では、転写補助ブレードを記録シートの進行方向に対して直交する方向に移動させることで、膨らんでいる頂点部分が記録シートの進行方向と直交する方向に移動する。よって、転写補助ブレードを、例えば、記録シートのシートサイズに応じた最適な位置に調整することができる。
【００２１】
請求項６に記載の転写装置は、請求項１から請求項５のいずれか１項に記載の構成において、前記転写補助ブレードの先端の形状は、曲線で構成されていることを特徴としている。
【００２２】
請求項６に記載の転写装置では、転写補助ブレードの先端の形状が曲線で構成されているので、記録シートを扱くような力が滑らかにかかる。したがって、像担持体と記録シートとの密着性がより向上する。
【００２３】
請求項７に記載の転写装置は、請求項１から請求項５のいずれか１項に記載の構成において、前記転写補助ブレードの先端の形状は、直線で構成されていることを特徴としている。
【００２４】
請求項７に記載の転写装置は、転写補助ブレードの先端の形状が直線で構成されているので、転写補助ブレードの先端の加工が容易である。
【００２５】
請求項８に記載の転写装置は、請求項１から請求項５のいずれか１項に記載の構成において、前記転写補助ブレードの先端の形状は、曲線と直線とを組み合わせて構成されていることを特徴としている。
【００２６】
請求項８に記載の転写装置は、転写補助ブレードの先端の形状が曲線と直線とを組み合わせて構成されている。曲線部分は記録シートを扱くような力を滑らかにする。直線部は加工が容易である。したがって、加工性と密着性とのバランスがとれた転写補助ブレードとなる。
【００２７】
請求項９に記載の転写装置は、請求項１から請求項８のいずれか１項に記載の構成において、前記転写補助ブレードの先端の形状を変形可能としたことを特徴としいる。
【００２８】
請求項９に記載の転写装置では、転写補助ブレードの先端の形状を変形させ、例えば、記録シートの種類に応じた最適な形状とすることができる。
【００２９】
請求項１０に記載の転写補助ブレードは、請求項９に記載の構成のおいて、前記転写補助ブレードは、進行方向と直交する方向に並んだ複数のブレードが重ねられて構成され、複数の前記ブレードの位置を相対的にズラし、先端の形状を変形可能としたことを特徴としている。
【００３０】
請求項１０に記載の転写補助ブレードは、複数のブレードの位置を相対的にズラし、先端の形状を変形させ、例えば、記録シートの種類に応じた最適な形状とすることができる。
【００３１】
請求項１１に記載の転写装置は、請求項１から請求項１０のいずれか１項に記載の構成において、前記転写補助ブレードの先端は、前記像担持体から離れた第一位置と、前記記録シートに当接し、前記記録シートを前記画像保持部材に押圧する第二位置と、の間を移動することを特徴としている。
【００３２】
請求項１１に記載の転写装置では、通常は像担持体から離れた第一位置とし、記録シートの進行に同期させて第二位置とすることで、転写補助ブレードによる像担持体へのダメージを防止できる。
【００３３】
請求項１２に記載の画像形成装置は、請求項１から請求項１１のいずれか１項に記載の転写装置を備えることを特徴としている。
【００３４】
請求項１２に記載の画像形成装置は、請求項１から請求項１１のいずれか１項に記載の転写装置を備えているので転写性能が良い。よって、品質の良い画像を記録シートに形成できる。
【発明の効果】
【００３５】
以上説明したように本発明によれば、記録シートには、転写補助ブレードの先端の傾斜に沿って扱くような力がかかるので、例えば、記録シートにシワ等の歪みが生じても解消され、像担持体と記録シートとの密着性がより向上する。
【発明を実施するための最良の形態】
【００３６】
図１は、本発明の第一の実施形態の転写装置５０を備えた画像形成装置１００の要部を模式的に示している。
【００３７】
ベルト状の感光体１は、回転ロール２、及び駆動ロール３に支持されるとともに、矢印ａ方向に搬送され、帯電装置（不図示）で均一に帯電される。帯電後、露光装置（図示略）によって露光され、静電潜像が形成される。静電潜像は、現像装置（図示略）により現像され、感光体１上にトナー像が形成される。
【００３８】
一方、記録シートＰがシート供給装置（図示略）によって、案内部材５に沿って搬送され、レジストローラ６，７により所定のタイミングで、感光体１と転写装置５０との間に搬送される。（矢印ｂ参照）。
【００３９】
転写装置５０は、転写コロトロン９と剥離コロトロン１０とを備えている。また、転写コロトロン９の上流側の近傍に、転写補助機構２０を備えている。
【００４０】
転写コロトロン９は、コロナ放電により、記録シートＰ及び感光体１に非接触で、感光体１上のトナー像を記録シートＰに転写する。
【００４１】
転写補助機構２０は、回動軸２４を備え、この回動軸２４に弾性を有する転写補助ブレード２２が取り付けられている。また、回動軸２４は駆動機構（図示略）に連結されており、転写補助ブレード２２の先端２２Ａが回動する（矢印ｃ参照）。
【００４２】
そして、通常は、図１に示すように、転写補助ブレード２２の先端２２Ａは、感光体１と離れた第一位置にある。
【００４３】
しかし、図２に示すように、制御装置（図示略）が駆動機構（図示略）を制御し、記録シートＰが転写コロトロン９と感光体１との間に搬送されるのと同期して（記録シートＰの先端が転写補助ブレード２２の先端２２Ａを通過直後）、回動軸２４を中心に所定角度だけ反時計周りに回転させ、転写補助ブレード２２の先端２２Ａを、記録シートＰの背面に接触させ、記録シートＰの被転写面を感光体１に加圧する第二位置とする。
【００４４】
つまり、第二位置（図２の状態）にある転写補助ブレード２２の弾性力によって、記録シートＰが感光体１に押し付けられ、感光体１と記録シートＰとが密着する。
【００４５】
そして、記録シートＰは、転写補助ブレード２２によって、感光体１に押し付けられて密着した状態で、転写コロトロン９のコロナ放電により荷電され、感光体１上のトナー像が、記録シートＰの被転写面に転写される。
【００４６】
記録シートＰの後端部が、転写補助ブレード２２の先端２２Ａを通過する直前に、制御装置（図示略）は、転写補助ブレード２２の先端２２Ａを、今度は時計回りに回転させ、記録シートＰへの接触が解除させる。
【００４７】
トナー像が転写した記録シートＰは、剥離コロトロン１０のコロナ放電を受け除電され、感光体１から剥離した後、定着装置（不図示）に送られ、トナー像が定着する。
【００４８】
つぎに、転写装置５０の転写補助ブレード２２について説明する。
【００４９】
転写補助ブレード２２は、ＰＥＴ等の弾性変形する弾性シートからなり、図３に示すように、転写補助ブレード２２の先端２２Ａの形状、換言すると、記録シートＰの背面と当接する部分の形状は、中央が記録シートＰの進行方向ｄ（図２参照）に膨らんだ円弧形状をしている。
【００５０】
画像形成装置１００は、３種類のシートサイズの記録シートＰＡ、ＰＢ，ＰＣに画像形成が可能となっている。また、画像形成装置１００は、記録シートＰＡ，ＰＢ，ＰＣを幅方向（進行方向ｄと直交する方向）の両側から付勢し、幅方向中央を基準として位置を揃えて搬送される、いわゆる「センターレジ」となっている。そして、転写補助ブレード２２は、記録シートＰＡ，ＰＢ，ＰＣの各シートサイズに合わせて切込２２Ｂ，２２Ｃが形成されている。このため、記録シートＰＡ，ＰＢ，ＰＢのいずれが搬送されても、感光体１との密着性がより良好となる。
【００５１】
つぎに、上記実施形態の作用について説明する。
【００５２】
前述したように、転写補助ブレード２２の記録シートＰの背面との当接部、すなわち、先端２２Ａの形状は、記録シートＰの進行方向ｄに対して、中央が膨らんだ円弧形状をしている。
【００５３】
このため、図４に示すように、転写補助ブレード２２の記録シートＰの背面との当接位置は、中央から両幅斜め後方に傾斜している。また、転写補助ブレード２２の長さは中央ほど長いので、中央ほどニップ圧が高い。よって、図４と図５の図中の矢印Ｓで表しているように、中央から左右斜め後方に記録シートＰを扱くようなニップ圧がかかる。
【００５４】
したがって、図５（Ａ）に示すように、記録シートＰにシワＸが発生しても、図５（Ｂ）に示すように、シワＸが延ばされ、あるいは、左右斜め後方に移動して、解消する。よって、感光体１と記録シートＰとの間にシワによる空間（エアギャップ）が生じない。つまり、記録シートＰと感光体１とが密着し、感光体１上のトナー像が記録シートＰに良好に転写される。
【００５５】
つぎに、第一の実施の形態に係る転写装置５０の転写補助ブレード２２の変形例について説明する。
【００５６】
（第１の変形例）
図６（Ａ）に示すように、転写補助ブレード１２２の先端１２２Ａ（感光体１との当接部）の円弧形状に湾曲した円弧部分は、切込１２２Ｂの間のみとなっている。よって、図３の転写補助ブレード２２より加工が簡単である。
【００５７】
（第２の変形例）
図６（Ｂ）に示すように、転写補助ブレード１３２の先端１３２Ａ（感光体１との当接部）の円弧形状に湾曲した部分は、切込１３２Ｂの間のみとなっている。更に、湾曲した部分は、複数の直線で形成されている。つまり、湾曲部分は、略多角形状である。
【００５８】
このような構成とすると、転写補助ブレード１３２は、直線加工のみで形成できるので、加工がより簡単である。
【００５９】
なお、第一の実施形態の転写補助ブレード２２（図３参照）が、先端２２Ａが全て曲線で構成されているので、最も滑らかに扱く様に記録シートＰのシワを解消する。しかし、加工コストと実際に必要な性能とのバランスを考えて、第一の実施形態の転写補助ブレード２２、第１の変形例の転写補助ブレード１２２、第２の変形例の転写補助ブレード１３２のいずれかを選択すれば良い。
【００６０】
（第３の変形例）
図７に示すように、転写補助ブレード１４２の先端１４２Ａ（感光体１との当接部）とその付近に、記録シートＰとの摺動抵抗を減少させる低抵抗部１４３が設けられている。この低抵抗部１４３は、テフロン（登録商標）コートなどの低抵抗膜を形成しても良いし、テフロン（登録商標）テープなどを貼りつけた構成てあっても良い。
【００６１】
そして、この低抵抗部１４３により、記録シートＰとの摺動抵抗が減少することで、記録シートＰがスムーズに搬送されると共に、また、記録シートＰの背面もダメージを受けにくくなる。
【００６２】
（第４の変形例）
図８（Ａ）に示すように、転写補助ブレード１５２の先端１５０Ａ（感光体１との当接部）から、進行方向ｄと同方向に複数のスリット１５３が形成されている。このスリット１５３によって、転写補助ブレード１５２の先端１５２Ａ（感光体１との当接部）部分が、しなやかに撓むので、記録シートＰと感光体１との密着性がより向上する。
【００６３】
なお、以下に説明する第５から第８の変形例も、第４の変形例と同様に転写補助ブレードの先端（感光体１との当接部）部分を、しなやかに撓ませ、記録シートＰと感光体１との密着性をより向上させているので、作用についての記載を省略する。
【００６４】
（第５の変形例）
図８（Ｂ）に示すように、転写補助ブレード１６２の先端１６２Ａ（感光体１との当接部）近傍部分に、複数のミシン目１６３（断続した切込み線）が進行方向ｄと直交する方向に形成されている。
【００６５】
（第６の変形例）
図８（Ｃ）に示すように、転写補助ブレード１７２の先端１７２Ａ（感光体１との当接部）の近傍部分に、複数の丸孔１７３が形成されている。
【００６６】
（第７の変形例）
図９（Ａ）に示すように、転写補助ブレード１８２の先端１８２Ａ（感光体１との当接部）ほど厚みが減少する、いわゆる断面がテーパー形状（左図参照）になっている。このため、転写補助ブレード１８２の先端１８２（感光体１との当接部）ほど弾性力が弱くなり、しなやかに撓む。
【００６７】
（第８の変形例）
図９（Ｂ）に示すように、転写補助ブレード１９２は、複数の長さの異なるシート１９３、１９４、１９５を接合して形成され、先端１９２Ａ（感光体１との当接部）ほど重なっているシート枚数（厚み）が減少する。このため、転写補助ブレード１９２の先端１９２Ａ（感光体１との当接部）ほど弾性力が弱くなり、しなやかに撓む。
【００６８】
つぎに第二の実施形態の転写装置５２について説明する。なお、第１の実施形態と同一の部材には同一の符号を付し、重複した説明は省略する。
【００６９】
図１０に示すように、回動軸２４には、第一転写補助ブレード２２２と第二転写補助ブレード２２４とが固定されている。なお、第一転写補助ブレード２２２は、ステー２２６を介して固定されている。そして、第一転写補助ブレード２２２と第二転写補助ブレード２２４とは、進行方向ｄに間隔が開いている。
【００７０】
よって、記録シートＰに接触する第二位置（図２参照）となると、まず上流側の第一転写補助ブレード２２２の先端２２２Ａが記録シートＰに当接して感光体１に押圧し、次いで、下流側の第二転写補助ブレード２２４の先端２２４Ａが記録シートＰに当接して感光体１に押圧する。
【００７１】
第一転写補助ブレード２２２の先端２２２Ａ部の形状は、第一の実施形態の転写補助ブレード２２の先端２２Ａの形状と同様に円弧状をしている。（図３参照）。第二転写補助ブレード２２４の先端２２４Ａの形状は搬送方向ｄと直交した直線であり、従来の転写補助ブレード１０２２（図１６参照）と同形状である。
【００７２】
つぎに、上記実施形態の作用について説明する。
【００７３】
まず、上流側の第一転写補助ブレード２２２の先端２２２Ａが記録シートＰに当接して感光体１に押圧しシワを延ばす。更に、下流側の第二転写補助ブレード２２４が記録シートＰに当接して感光体１に均一に押圧し密着させる。
【００７４】
このように、上流側の第一転写補助ブレード２２２は記録シートＰのシワを延ばすことを主目的とし、下流側の第二転写補助ブレード２２４は記録シートＰを感光体１に均一に押圧することを主目的としている。つまり、機能を分担させている。
【００７５】
よって、第一転写補助ブレード２２２Ａの先端２２２Ａの円弧形状を、記録シートＰのシワを延ばすことに特化した形状にできる。また、第一転写補助ブレード２２２と第二補助転写補助ブレード２２４との組合せにより、様々な記録シート（例えば、厚みやコシが異なる記録シートＰ）に対応できる。
【００７６】
なお、上記、第二の実施形態では、第一転写補助ブレード２２２と第二転写補助ブレード２２４との２つで構成されていたが、３つ以上の転写補助ブレードで構成されていても良い。
【００７７】
つぎに第三の実施形態の転写装置５４について説明する。なお、第一及び第二の実施形態と同一の部材には同一の符号を付し、重複した説明は省略する。
【００７８】
図１１（Ａ）に示すように、回動軸２４にはステー３２６が固定され、このステー３２６に転写補助ブレード３２０が固定されている。転写補助ブレード３２０は、長四角状の第一ブレード３２４と先端３２２Ａが円弧状の第二ブレード３２２とが重ねられて構成している。
【００７９】
第二ブレード３２２は、第一ブレード３２４の先端３２４Ａより進行方向ｄに円弧部分が出ている。しかし、進行方向ｄと直交する幅は狭い。
【００８０】
また、第二ブレード３２２は、進行方向ｄと直交する方向Ｇに長い長孔３２２が形成され、この長孔３２２にビス３２８を通し、ステー３２６にビス止め（固定）されている。よってビス３２８を緩めると、進行方向ｄと直交する方向Ｇに移動可能となる。
【００８１】
つぎに、上記実施形態の作用について説明する。
【００８２】
第二ブレード３２２は進行方向ｄと直交する方向Ｇに移動可能である。つまり、円弧状の先端３２２Ａの頂点部Ｙが進行方向ｄと直交する方向Ｇに移動可能である。
【００８３】
よって、例えば、図（Ｂ）に示すように、頂点部Ｙの位置を変えることで、シワの延ばし方を左右で変えることができる。したがって、例えば、搬送経路のバラツキなどによって、左右方向（進行方向ｄと直交する方向Ｇ）での、シワのよりやすさに応じて最適な頂点部Ｙの位置に調整できる。
【００８４】
あるいは、画像形成装置１００ではセンターレジ（図３参照）であったが、記録シートＰの幅方向の一方の側から付勢し、他方の縁を基準として位置を揃える、いわゆる「サイドレジ」の場合、シートサイズに応じた最適な頂点部Ｙの位置に調整できる。
【００８５】
つぎに第四の実施形態の転写装置５６について説明する。なお、第一から第三の実施形態と同一の部材には同一の符号を付し、重複した説明は省略する。
【００８６】
図１２（Ａ）に示すように、回動軸２４には、ステー４２８が固定され、このステー４２８に転写補助ブレード４２０が固定されている。転写補助ブレード４２０は、先端が円弧状の第一ブレード４２２、第二ブレード４２４、第三ブレード４２６の三枚が、幅方向（進行方向ｄと直交する方向）に並んで重ねられて構成している。
【００８７】
第二ブレード４２４、第三ブレード４２６は、ステー４２８に形成されている軸４３２を中心に回動する。また、軸４４４で第一ブレード４２２と繋がっている。第一ブレードは、進行方向ｄに長い長孔４３０にビス４４６を通し、ステー４２８にビス止め（固定）されている。
【００８８】
このような構成としたので、転写補助ブレード４２０は、図１２（Ｂ）に示すように、ビス４４６を緩め、第一ブレードを進行方向ｄに移動すると、軸４４４の位置も進行方向ｄに移動し、第二ブレード４２４、第三ブレード４２６が軸４３２を中心に回転する。（図１２（Ｂ）の矢印Ｒを参照）。
【００８９】
なお、第二ブレード４２４と第三ブレード４２６とには、軸４３２を中心に回転する際に、軸４４４の移動を妨げないような形状の長孔４３３が形成されている。
【００９０】
このように、図１２（Ａ）の状態では、転写補助ブレード４２０の先端４２０Ａの円弧形状の曲率は緩やかでり、また、転写補助ブレード４２０の長さＬ１（左図参照）も短く、記録シートＰに対する押圧力も弱い。
【００９１】
これに対し、図１２（Ｂ）の状態では、先端４２０Ａの円弧形状の曲率はきつく、転写補助ブレード４２０の長さＬ２（左図参照）も長いので、記録シートＰに対する押圧力も強い。
【００９２】
よって、転写補助ブレード４２０の先端４２０Ａの形状を変化させ、先端４２０Ａの曲率と記録シートＰに対する押圧力とを調整できる構成となっている。
【００９３】
つぎに、上記実施形態の作用について説明する。
【００９４】
上述したように、転写装置５６は、転写補助ブレード４２０の先端４２０Ａの形状を変化させ、先端４２０Ａの曲率と記録シートＰに対する押圧力とを調整できる。（図１２（Ａ）と図１２（Ｂ）を参照）。
【００９５】
よって、記録シートＰの種類に応じて最適な形状とできる。例えば、厚い記録シートＰやコシの強い記録シートＰの場合は、シワがよりにくいので、図１２（Ａ）の形状とし、薄い記録シートＰやコシの弱い記録シートＰの場合は、シワがより易いので、図１２（Ｂ）のような形状とする。
【００９６】
あるいは、転写する感光体１に形成されたトナー像の密度に応じても最適な形状とできる。例えば、印字率が高いトナー像（例えば、ベタ黒）の場合、感光体１と記録シートＰとの間に介在するトナーが多く、感光体１への静電吸着力が減少するので、シワが解消し易い。よって、このような画像を連続して印字する場合は、図１２（Ａ）の形状とする。逆に、印字率が低いトナー像（例えば、文字や線のみの画像）の場合、感光体１と記録シートＰとの間に介在するトナーが少なく、感光体１への静電吸着力が増大するので、シワが解消しにくい。よって、このような画像を連続して印字する場合は、図１２（Ｂ）の形状とする。
【００９７】
つぎに第５の実施形態の転写装置５６について説明する。なお、第一から第四の実施形態と同一の部材には同一の符号を付し、重複した説明は省略する。
【００９８】
図１３に示すように、回動軸２４に転写補助ブレード５２２が固定されている。転写補助ブレード５２２の記録シートＰの背面との当接部、すなわち、先端５２２Ａの形状は、記録シートＰの進行方向ｄに対して、幅方向の一端側から他端側に向かって傾斜している。なお、先端５２２Ａは直線でなく、全体に緩やかな曲線を描いている。
【００９９】
つぎに、上記実施形態の作用について説明する。
【０１００】
前述したように、転写補助ブレード５２２先端５２２Ａの形状は、記録シートＰの進行方向ｄに対して、幅方向の一端側から他端側に向って傾斜している。
【０１０１】
このため、図１４に示すように、転写補助ブレード２２の記録シートＰの背面との当接位置は、一端側から他端側斜め後方に傾斜している。また、一端側ほど長いので、一端側ほどニップ圧が高い。よって、図１４と図１５の図中の矢印Ｓで表しているように、一端側から他端側方向に記録シートＰを扱くようなニップ圧がかかる。
【０１０２】
したがって、図１５（Ａ）に示すように、記録シートＰにシワＸが発生しても、図１５（Ｂ）に示すように、シワＸが延ばされ、あるいは、他端側方向に移動して解消する。よって、感光体１と記録シートＰ記録シートとの間に空間（エアギャップ）が生じない。つまり、記録シートＰと感光体１とが密着し、感光体１上のトナー像が記録シートＰに良好に転写される。
【０１０３】
尚、本発明は、上記実施形態に限定されない。
【０１０４】
例えば、上記実施形態では、転写補助ブレードは、弾性変形する弾性ブレードであったが、これに限定されない。弾性を殆ど有しないブレードであっても良い。弾性を殆ど有しなくても、ベルト状の感光体１のような場合、ベルト状の感光体１が撓むので、記録シートＰに対して適当な押圧力となる。
【０１０５】
また、例えば、像担持体もベルト状の感光体１に限定されない。例えば、ドラム状の感光体であってもよいし、ベルト状、あるいはドラム状等の中間転写体であっても良い。
【図面の簡単な説明】
【０１０６】
【図１】本発明の第一の実施形態に係る転写装置を備える画像形成装置の要部を模式的に示し、転写補助ブレードの先端が感光体と離れた第一位置の状態の図である。
【図２】本発明の第一の実施形態に係る転写装置を備える画像形成装置の要部を模式的に示し、転写補助ブレードの先端が記録シートに当接した第二位置の状態の図である。
【図３】右図は第一の実施形態に係る転写装置の転写補助ブレードを示す正面図であり、また、記録シートの各シートサイズと転写補助ブレードの切込の位置との関係を示し、左図は第一の実施形態に係る転写装置の転写補助ブレードを示す側面図である。
【図４】第一の実施形態に係る転写装置の転写補助ブレードの先端によって、記録シートを扱くようにニップ圧がかかる様子を説明する説明図である。
【図５】第一の実施形態に係る転写装置の転写補助ブレードによって、記録シートのシワが解消する様子を説明する説明図である。
【図６】第一の実施形態に係る転写装置の転写補助ブレードを示し、（Ａ）は第一の変形例を示し、（Ｂ）は第二の変形例を示す図である。
【図７】第一の実施形態に係る転写装置の転写補助ブレードの第三の変形例を示す図である。
【図８】第一の実施形態に係る転写装置の転写補助ブレードを示し、（Ａ）は第四の変形例を示し、（Ｂ）は第五の変形例を示し、（Ｃ）は第六の変形例を示す図である。
【図９】第一の実施形態に係る転写装置の転写補助ブレードを示し、（Ａ）の右図は第七の変形例の正面図であり、（Ａ）の左図は第七の変形例の側面図であり、（Ｂ）の右図は第八の変形例の正面図であり、（Ｂ）の左図は第八の変形例の側面図である。
【図１０】右図は第二の実施形態に係る転写装置の転写補助ブレードを示す正面図であり、左図は側面図である。
【図１１】第三の実施形態に係る転写装置の転写補助ブレードを示し、（Ａ）の右図は正面図であり、（Ａ）の左図は側面図であり、（Ｂ）は頂点部を移動させた状態の正面図である。
【図１２】第四の実施形態に係る転写装置の転写補助ブレードを示し、（Ａ）の右図は正面図であり、（Ａ）の左図は側面図であり、（Ｂ）の右図は曲率をきつくし、長さを長くした状態の正面図であり、（Ｂ）の左図は側面図である。
【図１３】第五の実施形態に係る転写装置の転写補助ブレードを示す図である。
【図１４】第五の実施形態に係る転写装置の転写補助ブレードの先端によって、記録シートを扱くようにニップ圧がかかる様子を説明する説明図である。
【図１５】第五の実施形態に係る転写装置の転写補助ブレードによって、記録シートのシワが解消する様子を説明する説明図である。
【図１６】従来の転写装置の転写補助ブレードでは、記録シートのシワが解消されない様子を説明する説明図である。
【符号の説明】
【０１０７】
１      感光体（像担持体）
２２      転写補助ブレード
２２Ａ    先端
５０      転写装置
１００      画像形成装置
１３２      転写補助ブレード
１３２Ａ    先端
２２２      転写補助ブレード
２２２Ａ    先端
５２２      転写補助ブレード
５２２Ａ    先端
Ｐ      記録シート
Ｘ      シワ
【図１】
2006267482.tif 000003
【図２】
2006267482.tif 000004
【図３】
2006267482.tif 000005
【図４】
2006267482.tif 000006
【図５】
2006267482.tif 000007
【図６】
2006267482.tif 000008
【図７】
2006267482.tif 000009
【図８】
2006267482.tif 000010
【図９】
2006267482.tif 000011
【図１０】
2006267482.tif 000012
【図１１】
2006267482.tif 000013
【図１２】
2006267482.tif 000014
【図１３】
2006267482.tif 000015
【図１４】
2006267482.tif 000016
【図１５】
2006267482.tif 000017
【図１６】
2006267482.tif 000018